(57)【要約】【課題】蓄電装置の放電量の偏りを低減することができる電力供給システムを提供する。【解決手段】系統電源Ｓと複数の負荷とを接続すると共に、複数の分岐点（Ｘ１、Ｘ２、Ｘ３）を有し、系統電源Ｓから下流側に向かって通過した分岐点の数に応じて複数のグループに分けることができる電路と、前記複数のグループのうち上位グループと、当該上位グループと異なる下位グループに設けられ、前記複数の負荷のうち下流側に接続された負荷の消費電力量に応じて放電可能な蓄電池システム２０と、を具備する。【選択図】図１
2018186677.tif 000002
【特許請求の範囲】
【請求項１】
商用電源と複数の負荷とを接続すると共に、複数の分岐点を有し、商用電源から下流側に向かって通過した分岐点の数に応じて複数のグループに分けることができる電路と、
前記複数のグループのうち一のグループと、当該一のグループと異なる他のグループに設けられ、前記複数の負荷のうち下流側に接続された負荷の消費電力量に応じて放電可能な第一の蓄電装置と、
を具備する電力供給システム。
【請求項２】
前記第一の蓄電装置は、
前記分岐点で分岐された前記電路それぞれに接続される、
請求項１に記載の電力供給システム。
【請求項３】
各蓄電装置の動作を制御可能な制御部を具備し、
前記制御部は、
前記各蓄電装置の積算放電量に基づいて前記各蓄電装置の放電を行う、
請求項１又は請求項２に記載の電力供給システム。
【請求項４】
前記制御部は、
各グループごとの前記各蓄電装置の積算放電量を合算した合算積算放電量を算出すると共に、算出した合算積算放電量に基づいて前記各グループ間に優先順位を設定し、前記グループの中で当該優先順位の高いグループの前記蓄電装置から優先して放電させる、
請求項３に記載の電力供給システム。
【請求項５】
少なくとも１つ以上の前記第一の蓄電装置には、
上流側から下流側に順番に接続された複数の第二の蓄電装置が含まれる、
請求項１から請求項４までのいずれか一項に記載の電力供給システム。
【請求項６】
前記各蓄電装置の動作を制御可能な制御部を具備し、
前記制御部は、
前記複数の第二の蓄電装置を含む前記第一の蓄電装置ごとに、
各第二の蓄電装置の積算放電量に基づいて当該各第二の蓄電装置間に優先順位を設定し、前記複数の第二の蓄電装置の中で当該優先順位の高い第二の蓄電装置から優先して放電させる、
請求項５に記載の電力供給システム。
【請求項７】
前記複数の第二の蓄電装置を含む前記第一の蓄電装置は、少なくとも最も上流側のグループに設けられる、
請求項５又は請求項６に記載の電力供給システム。
【発明の詳細な説明】
【技術分野】
【０００１】
本発明は、複数の住宅間で電力を融通し合う電力供給システムの技術に関する。
【背景技術】
【０００２】
従来、複数の住宅間で電力を融通し合う電力供給システムの技術は公知となっている。例えば、特許文献１に記載の如くである。
【０００３】
特許文献１には、複数の蓄電装置を具備し、当該蓄電装置の電力を各住宅Ｈに放電可能な電力供給システムが記載されている。特許文献１に記載のシステムにおいては、各蓄電装置が上流側から下流側に順番に配置されており、各住宅間で各蓄電装置の電力を融通し合うことができる。
【０００４】
しかしながら、このような電力供給システムにおいては、下流側に位置する蓄電装置の方が、上流側に位置する蓄電装置よりも放電され易くなる。このように、従来の電力供給システムにおいては、蓄電装置の配置位置によって、放電量の偏りが大きくなるという問題があった。
【先行技術文献】
【特許文献】
【０００５】
【特許文献１】特開２０１７−２２９１９号公報
【発明の概要】
【発明が解決しようとする課題】
【０００６】
本発明は以上の如き状況に鑑みてなされたものであり、その解決しようとする課題は、蓄電装置の放電量の偏りを低減することができる電力供給システムを提供することである。
【課題を解決するための手段】
【０００７】
本発明の解決しようとする課題は以上の如くであり、次にこの課題を解決するための手段を説明する。
【０００８】
即ち、請求項１においては、商用電源と複数の負荷とを接続すると共に、複数の分岐点を有し、商用電源から下流側に向かって通過した分岐点の数に応じて複数のグループに分けることができる電路と、前記複数のグループのうち一のグループと、当該一のグループと異なる他のグループに設けられ、前記複数の負荷のうち下流側に接続された負荷の消費電力量に応じて放電可能な第一の蓄電装置と、を具備するものである。
【０００９】
請求項２においては、前記第一の蓄電装置は、前記分岐点で分岐された前記電路それぞれに接続されるものである。
【００１０】
請求項３においては、各蓄電装置の動作を制御可能な制御部を具備し、前記制御部は、前記各蓄電装置の積算放電量に基づいて前記各蓄電装置の放電を行うものである。
【００１１】
請求項４においては、前記制御部は、各グループごとの前記各蓄電装置の積算放電量を合算した合算積算放電量を算出すると共に、算出した合算積算放電量に基づいて前記各グループ間に優先順位を設定し、前記グループの中で当該優先順位の高いグループの前記蓄電装置から優先して放電させるものである。
【００１２】
請求項５においては、少なくとも１つ以上の前記第一の蓄電装置には、上流側から下流側に順番に接続された複数の第二の蓄電装置が含まれるものである。
【００１３】
請求項６においては、前記各蓄電装置の動作を制御可能な制御部を具備し、前記制御部は、前記複数の第二の蓄電装置を含む前記第一の蓄電装置ごとに、各第二の蓄電装置の積算放電量に基づいて当該各第二の蓄電装置間に優先順位を設定し、前記複数の第二の蓄電装置の中で当該優先順位の高い第二の蓄電装置から優先して放電させるものである。
【００１４】
請求項７においては、前記複数の第二の蓄電装置を含む前記第一の蓄電装置は、少なくとも最も上流側のグループに設けられるものである。
【発明の効果】
【００１５】
本発明の効果として、以下に示すような効果を奏する。
【００１６】
請求項１においては、蓄電装置の放電量の偏りを低減することができる。
【００１７】
請求項２においては、蓄電装置の放電量の偏りを低減することができる。
【００１８】
請求項３においては、蓄電装置の放電量の偏りをより低減し易くすることができる。
【００１９】
請求項４においては、蓄電装置の放電量の偏りをより低減し易くすることができる。
【００２０】
請求項５においては、蓄電装置で負荷の消費電力を賄い易くすることができる。
【００２１】
請求項６においては、蓄電装置の放電量の偏りをより低減し易くすることができる。
【００２２】
請求項７においては、蓄電装置で負荷の消費電力を賄い易くすることができる。
【図面の簡単な説明】
【００２３】
【図１】第一実施形態に係る電力供給システムの構成を示したブロック図。
【図２】第一実施形態に係る電力供給システムにおける電力の供給態様の一例を示したブロック図。
【図３】第二実施形態に係る電力供給システムの構成を示したブロック図。
【図４】第二実施形態におけるＥＭＳに関する構成を示したブロック図。
【図５】設定された放電優先順位の一例を示した図。
【図６】従来の電力供給システムにおける電力の供給態様の一例を示したブロック図。
【００２４】
以下では、図１を用いて、本発明の第一実施形態に係る電力供給システム１について説明する。
【００２５】
電力供給システム１は、複数の戸建住宅（住宅Ｈ）からなる住宅街区Ｔ（住宅Ｈの集合体）に適用することを想定している。本実施形態においては、住宅街区Ｔには、４つの（戸建）住宅Ｈとして、第一住宅Ｈ１、第二住宅Ｈ２、第三住宅Ｈ３及び第四住宅Ｈ４が設けられる。住宅街区Ｔにおいては、電力小売事業者が電力会社（系統電源Ｓ）から電力を一括購入し、当該購入した電力が各住宅Ｈに適宜供給（売却）される。
【００２６】
電力供給システム１は、電力小売事業者が電力会社から一括購入した電力を、複数の住宅Ｈ（第一住宅Ｈ１、第二住宅Ｈ２、第三住宅Ｈ３及び第四住宅Ｈ４）間で適宜供給（融通）するためのシステムである。電力供給システム１は、主としてセンサ部１０及び複数の蓄電池システム２０（第一蓄電池システム２１、第二蓄電池システム２２、第三蓄電池システム２３及び第四蓄電池システム２４）を具備する。
【００２７】
なお、以下の説明では、配電線Ｌを基準として、各部の位置関係を説明する。配電線Ｌの一端は、系統電源Ｓと接続される。以下の説明では、便宜上、配電線Ｌが延びる方向（紙面左右方向）において、左側（系統電源Ｓに近い側）を上流側、右側を下流側とそれぞれ称する。
【００２８】
電力供給システム１において、配電線Ｌは、系統電源Ｓから下流側に延びて、配電線Ｌの中途部に設けられた分岐点Ｘ１で第一分岐路Ｌ１及び第二分岐路Ｌ２に分岐している。第一分岐路Ｌ１は、配電線Ｌの中途部に設けられた第二分岐点Ｘ２で第三分岐路Ｌ３及び第四分岐路Ｌ４に分岐している。そして、第三分岐路Ｌ３の下流側端部には、第一住宅Ｈ１（の負荷）が接続される。第四分岐路Ｌ４の下流側端部には、第二住宅Ｈ２（の負荷）が接続される。第二分岐路Ｌ２は、配電線Ｌの中途部に設けられた第三分岐点Ｘ３で第五分岐路Ｌ５及び第六分岐路Ｌ６に分岐している。そして、第五分岐路Ｌ５の下流側端部には、第三住宅Ｈ３（の負荷）が接続される。第六分岐路Ｌ６の下流側端部には、第四住宅Ｈ４（の負荷）が接続される。
【００２９】
センサ部１０は、配電線Ｌを流通する電力量を検出するものである。センサ部１０は、第一センサ１１、第二センサ１２、第三センサ１３及び第四センサ１４を具備する。
【００３０】
第一センサ１１は、第一分岐路Ｌ１を流通する電力量を検出するものである。第一センサ１１は、第一分岐路Ｌ１の中途部（後述する連系点Ｐ１のすぐ上流側）に設けられる。
【００３１】
第二センサ１２は、第二分岐路Ｌ２を流通する電力量を検出するものである。第二センサ１２は、第二分岐路Ｌ２の中途部（後述する連系点Ｐ２のすぐ上流側）に設けられる。
【００３２】
第三センサ１３は、系統電源Ｓと分岐点Ｘ１との間を流通する電力量を検出するものである。第三センサ１３は、系統電源Ｓと分岐点Ｘ１との間（後述する連系点Ｐ３のすぐ上流側）に設けられる。
【００３３】
第四センサ１４は、系統電源Ｓと分岐点Ｘ１との間を流通する電力量を検出するものである。第四センサ１４は、系統電源Ｓと分岐点Ｘ１との間（後述する連系点Ｐ４のすぐ上流側）に設けられる。第四センサ１４は、第三センサ１３よりも上流側に設けられる。
【００３４】
蓄電池システム２０は、電力を充放電可能なシステムである。蓄電池システム２０は、充放電可能な蓄電池や当該蓄電池の充放電を制御するパワーコンディショナ等を具備する。蓄電池システム２０は、第一蓄電池システム２１、第二蓄電池システム２２、第三蓄電池システム２３及び第四蓄電池システム２４を具備する。
【００３５】
第一蓄電池システム２１は、第一分岐路Ｌ１の中途部（第一分岐点Ｘ１と第二分岐点Ｘ２との間）に設けられた連系点Ｐ１に接続される。第一蓄電池システム２１は、系統電源Ｓの電力を用いて充電することができる。また、第一蓄電池システム２１は、放電することで、当該第一蓄電池システム２１の下流側に接続された第一住宅Ｈ１及び第二住宅Ｈ２に電力を供給することができる。
【００３６】
第二蓄電池システム２２は、第二分岐路Ｌ２の中途部（第一分岐点Ｘ１と第三分岐点Ｘ３との間）に設けられた連系点Ｐ２に接続される。第二蓄電池システム２２は、系統電源Ｓの電力を用いて充電することができる。また、第二蓄電池システム２２は、放電することで、当該第二蓄電池システム２２の下流側に接続された第三住宅Ｈ３及び第四住宅Ｈ４に電力を供給することができる。
【００３７】
第三蓄電池システム２３は、配電線Ｌの中途部（具体的には、系統電源Ｓと第一分岐点Ｘ１との間）に設けられた連系点Ｐ３に接続される。第三蓄電池システム２３は、系統電源Ｓの電力を用いて充電することができる。また、第三蓄電池システム２３は、放電することで、当該第三蓄電池システム２３の下流側に接続された第一住宅Ｈ１、第二住宅Ｈ２、第三住宅Ｈ３及び第四住宅Ｈ４に電力を供給することができる。
【００３８】
第四蓄電池システム２４は、配電線Ｌの中途部（具体的には、系統電源Ｓと連系点Ｐ３との間）に設けられた連系点Ｐ４に接続される。つまり、第四蓄電池システム２４は、第三蓄電池システム２３の上流側で配電線Ｌに接続される。第四蓄電池システム２４は、系統電源Ｓの電力を用いて充電することができる。また、第四蓄電池システム２４は、放電することで、当該第四蓄電池システム２４の下流側に接続された第一住宅Ｈ１、第二住宅Ｈ２、第三住宅Ｈ３及び第四住宅Ｈ４に電力を供給することができる。
【００３９】
電力供給システム１の電路（配電線Ｌ）は、系統電源Ｓから下流側に向かって通過した分岐点（Ｘ１、Ｘ２、Ｘ３）の数に応じてグループ分けをすることができる。本実施形態では、分岐点Ｘ１よりも上流側（通過した分岐点の数が０のグループ）を上位グループとし、分岐点Ｘ１よりも下流側、且つ、分岐点Ｘ２及びＸ３よりも上流側（通過した分岐点の数が１のグループ）を下位グループとする。上位グループに属する蓄電池システム２０には、第三蓄電池システム２３及び第四蓄電池システム２４が含まれる。下位グループに属する蓄電池システム２０には、第一蓄電池システム２１及び第二蓄電池システム２２が含まれる。
【００４０】
前述の如く構成されることで、上位グループに属する第三蓄電池システム２３の連系点Ｐ３及び第四蓄電池システム２４の連系点Ｐ４は、配電線Ｌに対して互いに直列に（上流側から下流側に順番に）接続されることとなる。一方、下位グループに属する第一蓄電池システム２１の連系点Ｐ１及び第二蓄電池システム２２の連系点Ｐ２は、配電線Ｌに互いに並列に接続されることとなる。
【００４１】
このように構成された各蓄電池システム２０（第一蓄電池システム２１、第二蓄電池システム２２、第三蓄電池システム２３及び第四蓄電池システム２４）は、例えば電気料金の安い時間帯（深夜等）に系統電源Ｓの電力を用いて充電し、必要な時に放電することにより、下流側の各住宅Ｈの電気料金を抑えることができる。
【００４２】
また、各蓄電池システム２０は、対応するセンサ部１０の各センサと電気的に接続される。具体的には、第一蓄電池システム２１は第一センサ１１と電気的に接続される。第二蓄電池システム２２は第二センサ１２と電気的に接続される。第三蓄電池システム２３は第三センサ１３と電気的に接続される。第四蓄電池システム２４は第四センサ１４と電気的に接続される。各蓄電池システム２０は、対応するセンサ部１０のセンサから出力された信号が入力され、当該入力された信号に基づいて当該センサの検出結果を取得可能に構成される。各蓄電池システム２０は、対応するセンサ部１０のセンサの検出結果に基づいて、放電（出力）する電力量を調整する負荷追従運転を行うことができる。
【００４３】
次に、図２を参照して、上述の如く構成された電力供給システム１によって、前記４つの住宅Ｈの間で電力が融通される様子について説明する。
【００４４】
以下では、一例として、第一住宅Ｈ１の消費電力（当該住宅Ｈの負荷から要求される電力量）が１５００Ｗ、第二住宅Ｈ２の消費電力が１５００Ｗ、第三住宅Ｈ３の消費電力が５００Ｗ、第四住宅Ｈ４の消費電力が５００Ｗであるものとする。また、第一蓄電池システム２１、第二蓄電池システム２２、第三蓄電池システム２３及び第四蓄電池システム２４の最大放電能力は、それぞれ２０００Ｗであるものとする。
【００４５】
電力供給システム１において、第一住宅Ｈ１及び第二住宅Ｈ２の消費電力の合計の電力（３０００Ｗ）が、系統電源Ｓから配電線Ｌを介して当該第一住宅Ｈ１及び第二住宅Ｈ２に供給される。この場合、第一センサ１１による検出結果は３０００Ｗとなる。第一蓄電池システム２１は、第一センサ１１の検出結果に基づいて負荷追従運転を行うため、最大出力（２０００Ｗ）で電力を出力する。こうして、第一蓄電池システム２１から出力された電力（２０００Ｗ）は、第一住宅Ｈ１及び第二住宅Ｈ２へと供給される。
【００４６】
また、第三住宅Ｈ３及び第四住宅Ｈ４の消費電力の合計の電力（１０００Ｗ）が、系統電源Ｓから配電線Ｌを介して当該第三住宅Ｈ３及び第四住宅Ｈ４に供給される。この場合、第二センサ１２による検出結果は１０００Ｗとなる。第二蓄電池システム２２は、第二センサ１２の検出結果に基づいて負荷追従運転を行うため、１０００Ｗで電力を出力する。こうして、第二蓄電池システム２２から出力された電力（１０００Ｗ）は、第三住宅Ｈ３及び第四住宅Ｈ４へと供給される。
【００４７】
第一蓄電池システム２１及び第二蓄電池システム２２から前記電力が放電されると、第一住宅Ｈ１、第二住宅Ｈ２、第三住宅Ｈ３及び第四住宅Ｈ４の消費電力のうち、第一蓄電池システム２１及び第二蓄電池システム２２で賄えなかった分の電力（１０００Ｗ）が、系統電源Ｓから配電線Ｌを介して第一住宅Ｈ１及び第二住宅Ｈ２に供給される。この場合、第三センサ１３による検出結果は１０００Ｗとなる。第三蓄電池システム２３は、第三センサ１３の検出結果に基づいて負荷追従運転を行うため、１０００Ｗで電力を出力する。つまり、第三蓄電池システム２３は、第一蓄電池システム２１及び第二蓄電池システム２２で賄えなかった不足分の電力（１０００Ｗ）を放電する。
【００４８】
このようにして、各住宅Ｈの負荷の消費電力を賄うために、第一蓄電池システム２１、第二蓄電池システム２２及び第三蓄電池システム２３の３台から放電されることとなる。
【００４９】
一方、図６に示すように、従来のように、各蓄電池システム（第一蓄電池システム１２１、第二蓄電池システム１２２、第三蓄電池システム１２３及び第四蓄電池システム１２４）の連系点が配電線Ｌに対して互いに直列に（上流側から下流側に順番に）接続されているとする。この場合、各蓄電池システムが、第一住宅Ｈ１、第二住宅Ｈ２、第三住宅Ｈ３及び第四住宅Ｈ４に電力を供給可能に構成されている。
【００５０】
このとき、第一蓄電池システム１２１は各住宅Ｈの負荷の消費電力の合計（４０００Ｗ）の一部を賄うために、最大放電能力の電力（２０００Ｗ）を放電する。また、第二蓄電池システム１２２は、各住宅Ｈの負荷の合計（４０００Ｗ）のうち、不足分（第一蓄電池システム１２１から供給される電力で賄うことができない分）を賄うために、当該不足分の電力（２０００Ｗ）を放電する。
【００５１】
このようにして、各住宅Ｈの負荷の消費電力を賄うために、第一蓄電池システム１２１及び第二蓄電池システム１２２の２台から放電されることとなる。
【００５２】
このように、各住宅Ｈの消費電力を賄うために、図６に示す従来の態様（各蓄電池システムの連系点が配電線Ｌに対して互いに直列に接続された態様）においては、２台の蓄電池システムからしか放電されないのに対して、本実施形態の電力供給システム１においては、３台の蓄電池システム２０から放電されている。つまり、本実施形態の電力供給システム１においては、図６に示す従来の態様と比べて、放電がなされる蓄電池システムを２台から３台に増やすことができる（放電されない蓄電池システム２０を減らすことができる）。
【００５３】
本実施形態の電力供給システム１においては、下位グループに属する第一蓄電池システム２１の連系点Ｐ１及び第二蓄電池システム２２の連系点Ｐ２が互いに並列に設けられている。そうすることで、第一蓄電池システム２１は、第一住宅Ｈ１及び第二住宅Ｈ２に電力を供給するが、第三住宅Ｈ３及び第四住宅Ｈ４には電力を供給しないように構成されている。また、第二蓄電池システム２２は、第三住宅Ｈ３及び第四住宅Ｈ４に電力を供給するが、第一住宅Ｈ１及び第二住宅Ｈ２には電力を供給しないように構成されている。
【００５４】
このため、第一蓄電池システム２１によって下流側の住宅Ｈ（第一住宅Ｈ１及び第二住宅Ｈ２）の消費電力の一部を賄うことができなかった場合は、この不足分の電力は、同じ下位グループに属する第二蓄電池システム２２ではなく、上位グループに属する第三蓄電池システム２３及び第四蓄電池システム２４によって賄われることとなる。同じく、第二蓄電池システム２２によって下流側の住宅Ｈ（第三住宅Ｈ３及び第四住宅Ｈ４）の消費電力の一部を賄うことができなかった場合も、この不足分の電力は、同じ下位グループに属する第一蓄電池システム２１ではなく、上位グループに属する第三蓄電池システム２３及び第四蓄電池システム２４によって賄われることとなる。
【００５５】
このように、電力供給システム１においては、放電する蓄電池システム２０を分散させることができるので、蓄電池システム２０の放電量の偏りを低減することができる。
【００５６】
以上の如く、本実施形態に係る電力供給システム１は、系統電源Ｓ（商用電源）と複数の住宅Ｈ（負荷）とを接続すると共に、複数の分岐点（Ｘ１、Ｘ２、Ｘ３）を有し、系統電源Ｓから下流側に向かって通過した分岐点の数に応じて複数のグループに分けることができる電路と、前記複数のグループのうち上位グループ（一のグループ）と、当該上位グループと異なる下位グループ（他のグループ）に設けられ、前記複数の住宅Ｈのうち下流側に接続された住宅Ｈの消費電力量に応じて放電可能な蓄電池システム２０（第一の蓄電装置）と、を具備するものである。
このように構成されることにより、蓄電池システム２０の配置位置による放電量の偏りを低減することができる。
【００５７】
また、前記蓄電池システム２０は、前記分岐点で分岐された前記電路それぞれに接続されるものである。
このように構成されることにより、蓄電池システム２０の配置位置による放電量の偏りを低減することができる。
【００５８】
また、少なくとも１つ以上の前記蓄電池システム２０には、上流側から下流側に順番に接続された第三蓄電池システム２３及び第四蓄電池システム２４（複数の第二の蓄電装置）が含まれるものである。
このように構成されることにより、蓄電池システム２０で各住宅Ｈの負荷の消費電力を賄い易くすることができる。
【００５９】
また、前記第三蓄電池システム２３及び第四蓄電池システム２４を含む前記蓄電池システム２０は、少なくとも上位グループ（最も上流側のグループ）に設けられるものである。
このように構成されることにより、蓄電池システム２０で各住宅Ｈの負荷の消費電力を賄い易くすることができる。
【００６０】
なお、本実施形態に係る第一蓄電池システム２１、第二蓄電池システム２２、第三蓄電池システム２３及び第四蓄電池システム２４は、第一の蓄電装置の実施の一形態である。
また、本実施形態に係る第三蓄電池システム２３及び第四蓄電池システム２４は、第二の蓄電装置の実施の一形態である。
また、本実施形態に係る上位グループは、一のグループの実施の一形態である。
また、本実施形態に係る下位グループは、他のグループの実施の一形態である。
【００６１】
以上、本発明の第一実施形態を説明したが、本発明は上記構成に限定されるものではなく、特許請求の範囲に記載された発明の範囲内で種々の変更が可能である。
【００６２】
例えば、本実施形態においては、配電線Ｌは、分岐点Ｘ１において２つの分岐路に分岐するものとしたが、３つ以上の分岐路に分岐するものであってもよい。
【００６３】
また、本実施形態においては、第一蓄電池システム２１及び第二蓄電池システム２２は、それぞれ２つの住宅Ｈに電力を供給するものとしたが、３つ以上の住宅Ｈに電力を供給するものであってもよく、或いは１つの住宅Ｈに電力を供給するものであってもよい。
【００６４】
また、本実施形態においては、連系点が直列となる複数の蓄電池システム２０（第三蓄電池システム２３及び第四蓄電池システム２４）が、上位グループに含まれるものとしたが、下位グループに含まれていてもよく、或いは上位グループ及び下位グループの両方に含まれていてもよい。
【００６５】
また、本実施形態においては、下位グループの蓄電池システム２０及び当該蓄電池システムに接続された各住宅Ｈにより構成される集合体が１つ設けられるものとしたが、当該集合体が上流側から下流側に順番に複数設けられるものであってもよい。
【００６６】
次に、図３及び図４を用いて、第二実施形態に係る電力供給システム２について説明する。以下では、第二実施形態に係る電力供給システム２のうち第一実施形態に係る電力供給システム１と同一の構成については、適宜説明を省略する。
【００６７】
第一実施形態に係る電力供給システム１が４つの住宅Ｈに電力を供給するものであるのに対して、第二実施形態に係る電力供給システム２は、８つの住宅Ｈに電力を供給するものである。つまり、第一実施形態に係る電力供給システム１においては、１本の配電線Ｌ（電路）が最終的に４つの分岐路に分岐するように段階的に（２段階に）枝分かれするのに対して、第二実施形態に係る電力供給システム２においては、１本の配電線Ｌ（電路）が最終的に８つの分岐路に分岐するように段階的に（３段階に）枝分かれするように構成されている。
【００６８】
具体的には、配電線Ｌは、系統電源Ｓから下流側に延びて、分岐点ｘ１で２手に分岐し、それぞれの分岐路の分岐点（ｘ２、ｘ５）でさらに２手に分岐している。さらに各分岐路が分岐点（ｘ３、ｘ４、ｘ６、ｘ７）で２手に分岐し、各分岐路の下流側端部には、各住宅Ｈ（第一住宅Ｈ１、第二住宅Ｈ２、第三住宅Ｈ３、第四住宅Ｈ４、第五住宅Ｈ５、第六住宅Ｈ６、第七住宅Ｈ７及び第八住宅Ｈ８）が接続される。
【００６９】
また、第二実施形態に係る電力供給システム２は、主としてセンサ部４０、複数の蓄電池システム５０及びＥＭＳ６０を具備する。
【００７０】
センサ部４０は、配電線Ｌを流通する電力量を検出するものである。センサ部４０は、第一センサ４１、第二センサ４２、第三センサ４３、第四センサ４４、第五センサ４５、第六センサ４６、第七センサ４７及び第八センサ４８を具備する。
【００７１】
蓄電池システム５０は、電力を充放電可能なシステムである。蓄電池システム５０は、充放電可能な蓄電池や当該蓄電池の充放電を制御するパワーコンディショナ等を具備する。蓄電池システム５０は、所定の期間（本実施形態においては、直近の２４時間）の間に放電した電力量の総和である積算放電量を算出可能に構成される。なお、前記所定の期間は、直近の２４時間に限るものではなく、任意に設定可能である。蓄電池システム５０は、第一蓄電池システム５１、第二蓄電池システム５２、第三蓄電池システム５３、第四蓄電池システム５４、第五蓄電池システム５５、第六蓄電池システム５６、第七蓄電池システム５７及び第八蓄電池システム５８を具備する。
【００７２】
分岐点ｘ１よりも上流側の上位グループ（系統電源Ｓから下流側に向かって通過した分岐点の数が０のグループ）においては、第八蓄電池システム５８が連系点ｐ８で配電線Ｌに接続され、連系点ｐ８のすぐ上流側には第八センサ４８が設けられる。そして、連系点ｐ８の下流側に位置する連系点ｐ７で、第七蓄電池システム５７が配電線Ｌに接続され、連系点ｐ７のすぐ上流側には第七センサ４７が設けられる。
【００７３】
分岐点ｘ１よりも下流側、且つ、分岐点ｘ２及び分岐点ｘ５よりも上流側の中間グループ（系統電源Ｓから下流側に向かって通過した分岐点の数が１のグループ）においては、一方側の分岐路に第五蓄電池システム５５が連系点ｐ５で配電線Ｌに接続され、連系点ｐ５のすぐ上流側には第五センサ４５が設けられる。そして、他方側の分岐路に第六蓄電池システム５６が連系点ｐ６で配電線Ｌに接続され、連系点ｐ６のすぐ上流側には第六センサ４６が設けられる。
【００７４】
分岐点ｘ２及び分岐点ｘ５よりも下流側、且つ、分岐点ｘ３、ｘ４、ｘ６及びｘ７よりも上流側の下位グループ（系統電源Ｓから下流側に向かって通過した分岐点の数が２のグループ）においては、分岐点ｘ２と分岐点ｘ３との間の連系点ｐ１で第一蓄電池システム５１が配電線Ｌに接続され、連系点ｐ１のすぐ上流側には第一センサ４１が設けられる。また、分岐点ｘ２と分岐点ｘ４との間の連系点ｐ２で第二蓄電池システム５２が配電線Ｌに接続され、連系点ｐ２のすぐ上流側には第二センサ４２が設けられる。また、分岐点ｘ５と分岐点ｘ６との間の連系点ｐ３で第三蓄電池システム５３が配電線Ｌに接続され、連系点ｐ３のすぐ上流側には第三センサ４３が設けられる。また、分岐点ｘ５と分岐点ｘ７との間の連系点ｐ４で第四蓄電池システム５４が配電線Ｌに接続され、連系点ｐ４のすぐ上流側には第四センサ４４が設けられる。
【００７５】
このようにして、下位グループにおいては、第一蓄電池システム５１は、第一住宅Ｈ１及び第二住宅Ｈ２に電力を供給可能に設けられる。第二蓄電池システム５２は、第三住宅Ｈ３及び第四住宅Ｈ４に電力を供給可能に設けられる。第三蓄電池システム５３は、第五住宅Ｈ５及び第六住宅Ｈ６に電力を供給可能に設けられる。第四蓄電池システム５４は、第七住宅Ｈ７及び第八住宅Ｈ８に電力を供給可能に設けられる。このように、下位グループに属する蓄電池システム５０は、それぞれ２つの住宅Ｈに電力を供給するように構成される。
【００７６】
また、中間グループにおいては、第五蓄電池システム５５は、第一住宅Ｈ１、第二住宅Ｈ２、第三住宅Ｈ３及び第四住宅Ｈ４に電力を供給可能に設けられる。第六蓄電池システム５６は、第五住宅Ｈ５、第六住宅Ｈ６、第七住宅Ｈ７及び第八住宅Ｈ８に電力を供給可能に設けられる。このように、中間グループに属する蓄電池システム５０は、それぞれ４つの住宅Ｈに電力を供給するように構成される。
【００７７】
また、上位グループにおいては、第七蓄電池システム５７及び第八蓄電池システム５８はそれぞれ、全ての住宅Ｈに電力を供給可能に設けられる。このように、上位グループに属する蓄電池システム５０は、それぞれ８つの住宅Ｈに電力を供給するように構成される。
【００７８】
電力供給システム２は、このように構成されることで、下位グループに属する蓄電池システム５０（第一蓄電池システム５１、第二蓄電池システム５２、第三蓄電池システム５３及び第四蓄電池システム５４）は、それぞれ下流側の住宅Ｈの負荷の消費電力を賄うために放電する。そして、下位グループに属する蓄電池システム５０で賄うことができなかった電力は、同じ下位グループに属する蓄電池システム５０ではなく中間グループに属する蓄電池システム５０（第五蓄電池システム５５及び第六蓄電池システム５６）で賄うこととなる。さらに中間グループに属する蓄電池システム５０で賄うことができなかった電力は、同じ中間グループ又は下位グループに属する蓄電池システム５０ではなく上位グループに属する蓄電池システム５０（第七蓄電池システム５７及び第八蓄電池システム５８）で賄うこととなる。
【００７９】
このように、放電する蓄電池システム５０を分散させることができるので、蓄電池システム５０の放電量の偏りを低減することができる。これにより、電力を融通する際の各蓄電池システム５０間の不公平を低減することができる。
【００８０】
図４に示すＥＭＳ６０は、電力供給システム２の動作を管理するエネルギーマネジメントシステム（Ｅｎｅｒｇｙ  Ｍａｎａｇｅｍｅｎｔ  Ｓｙｓｔｅｍ）である。ＥＭＳ６０は、ＲＡＭやＲＯＭ等の記憶部や、ＣＰＵ等の演算処理部、Ｉ／Ｏ等の入出力部等を具備する。ＥＭＳ６０は、所定の演算処理や記憶処理等を行うことができる。ＥＭＳ６０には、電力供給システム２の動作を制御する際に用いられる種々の情報やプログラム等が予め記憶される。
【００８１】
また、ＥＭＳ６０は、各蓄電池システム５０と電気的に接続される。ＥＭＳ６０は、所定の信号を各蓄電池システム５０に出力し、当該各蓄電池システム５０の動作を制御することができる。また、ＥＭＳ６０は、各蓄電池システム５０から所定の信号が入力可能に構成される。
【００８２】
こうして、ＥＭＳ６０は、各蓄電池システム５０の動作に関する情報を取得することができる。具体的には、ＥＭＳ６０は、各蓄電池システム５０の積算放電量を取得することができる。また、ＥＭＳ６０は、各蓄電池システム５０が放電している（放電待機である）か否かの情報を取得することができる。また、ＥＭＳ６０は、各蓄電池システム５０において系統電源Ｓから購入している電力量（買電量）を取得することができる。また、ＥＭＳ６０は、各蓄電池システム５０の蓄電池残量を取得することができる。
【００８３】
ＥＭＳ６０は、各蓄電池システム５０の積算放電量に関する情報を取得し、各グループごとの各蓄電池システム５０の積算放電量を合算した合算積算放電量を算出する。そして、ＥＭＳ６０は、算出した合算積算放電量に基づいて各グループ間に放電優先順位を設定する。具体的には、ＥＭＳ６０は、合算積算放電量が少ないグループほど放電優先順位が上位となるように設定を行う。ＥＭＳ６０は、グループの中で放電優先順位の高いグループの蓄電池システム５０から優先して放電させる。例えば、合算積算放電量が中間グループ、上位グループ、下位グループの順で少ない場合には、図５に示すように、ＥＭＳ６０は、中間グループが第１位、上位グループが第２位、下位グループが第３位となるように放電優先順位を設定し、放電優先順位が高い順に優先的に各蓄電池システム５０を放電させることができる。
【００８４】
また、ＥＭＳ６０は、グループ間で放電優先順位を設定すると共に、グループ内に直列に並べられた蓄電池システム５０が存在する場合には、グループ内でも放電優先順位を設定することができる。本実施形態においては、各蓄電池システム５０の積算放電量に基づいて、上位グループ内の第七蓄電池システム５７及び第八蓄電池システム５８間に優先順位を設定することができる。例えば、第八蓄電池システム５８の積算放電量が第七蓄電池システム５７の積算放電量よりも少ない場合には、図５に示すように、ＥＭＳ６０は、第八蓄電池システム５８の放電優先順位（ｉ）が第七蓄電池システム５７の放電優先順位（ｉｉ）よりも高くなるように放電優先順位を設定し、放電優先順位が高い順に優先的に各蓄電池システム５０を放電させることができる。なお、直列に並べられた蓄電池システム５０が存在しないグループ（中間グループ及び下位グループ）には、グループ内で放電優先順位を設定しない。
【００８５】
図５に示すように放電優先順位を設定した場合、まず放電優先順位が第１位である中間グループの蓄電池システム５０（第五蓄電池システム５５及び第六蓄電池システム５６）が放電される。放電優先順位が第１位である中間グループの蓄電池システム５０で各住宅Ｈの消費電力を賄えなかった場合には、放電優先順位が第２位である上位グループの蓄電池システム５０が第八蓄電池システム５８、第七蓄電池システム５７の順で放電される。そして、放電優先順位が第２位である上位グループの蓄電池システム５０でも各住宅Ｈの消費電力を賄えなかった場合には、放電優先順位が第３位である下位グループの蓄電池システム５０（第一蓄電池システム５１、第二蓄電池システム５２、第三蓄電池システム５３及び第四蓄電池システム５４）が放電されることとなる。また、各蓄電池システム５０が並列に設けられている中間グループ及び下位グループにおいては、グループ内での放電優先順位は設定されていないため、各蓄電池システム５０は対応して設けられた各センサの検出値（下流側の各住宅Ｈの負荷）に基づいてそれぞれ放電を行う。
【００８６】
このような制御を行うことで、放電する蓄電池システム５０が特定の蓄電池システム５０に偏らないようにすることができるので、各蓄電池システム５０間の放電量の偏りをさらに低減することができる。
【００８７】
以上の如く、第二実施形態に係る電力供給システム２は、各蓄電池システム５０の動作を制御可能なＥＭＳ６０（制御部）を具備し、前記ＥＭＳ６０は、前記各蓄電池システム５０の積算放電量に基づいて前記各蓄電池システム５０の放電を行うものである。
このように構成されることにより、蓄電池システム５０の放電量の偏りをより低減し易くすることができる。
【００８８】
また、前記ＥＭＳ６０は、各グループごとの前記各蓄電池システム５０の積算放電量を合算した合算積算放電量を算出すると共に、算出した合算積算放電量に基づいて前記各グループ間に優先順位を設定し、前記グループの中で当該優先順位の高いグループの前記蓄電池システム５０から優先して放電させるものである。
このように構成されることにより、蓄電池システム５０の放電量の偏りをより低減し易くすることができる。
【００８９】
また、第二実施形態に係る電力供給システム２は、前記各蓄電池システム５０の動作を制御可能なＥＭＳ６０（制御部）を具備し、前記ＥＭＳ６０は、第七蓄電池システム５７及び第八蓄電池システム５８（前記複数の第二の蓄電装置）を含む前記蓄電池システム５０（第一の蓄電装置）ごとに、第七蓄電池システム５７及び第八蓄電池システム５８の積算放電量に基づいて当該第七蓄電池システム５７及び第八蓄電池システム５８間に優先順位を設定し、前記第七蓄電池システム５７及び第八蓄電池システム５８の中で当該優先順位の高い蓄電装置から優先して放電させるものである。
このように構成されることにより、蓄電池システム５０の放電量の偏りをより低減し易くすることができる。
【００９０】
なお、第二実施形態に係るＥＭＳ６０は、制御部の実施の一形態である。
また、第二実施形態に係る第一蓄電池システム５１、第二蓄電池システム５２、第三蓄電池システム５３、第四蓄電池システム５４、第五蓄電池システム５５、第六蓄電池システム５６、第七蓄電池システム５７及び第八蓄電池システム５８は、第一の蓄電装置の実施の一形態である。
また、第二実施形態に係る第七蓄電池システム５７及び第八蓄電池システム５８は、第二の蓄電装置の実施の一形態である。
【００９１】
なお、第二実施形態においては、電力供給システム２はＥＭＳ６０を具備し、当該ＥＭＳ６０によって放電優先順位を設定するものとしたが、第一実施形態の電力供給システム１がＥＭＳ６０を具備し、当該ＥＭＳ６０によって放電優先順位を設定するものであってもよい。
【符号の説明】
【００９２】
１、２      電力供給システム
２０、５０  蓄電池システム
６０        ＥＭＳ
【図１】
2018186677.tif 000003
【図２】
2018186677.tif 000004
【図３】
2018186677.tif 000005
【図４】
2018186677.tif 000006
【図５】
2018186677.tif 000007
【図６】
2018186677.tif 000008